(57)【要約】【課題】表示装置の本体部分を壁掛けする際の位置合わせを容易に行い得るようにする壁掛け装置、及びそれを備えた表示装置を提供する。【解決手段】表示装置本体１０を壁掛けするための壁掛け装置を用いる。壁掛け装置は、背面１０ｂに取り付けられる突起部１２と、壁面２０に取り付けられ、且つ、突起部１２に接続される治具１とを備えている。突起部１２は、背面１０ｂから突き出たシャフト１３と、シャフト１３の先端に取り付けられたストッパー１４とを備えている。治具１は、突起部１２に接続される接続部２と、突起部１２と接続部２との接続の前に突起部１２を仮置きするための仮置き部３ａ〜３ｃとを備えている。仮置き部３ａ〜３ｃは、接続部２に隣接する位置に配置され、且つ、突起部１２が仮置きされたときに、ストッパー１４と１０ｂ背面との間に嵌まり込むように形成されている。【選択図】図１
2008069937.tif 000002
【特許請求の範囲】
【請求項１】
表示装置本体を壁掛けするための壁掛け装置であって、
前記表示装置本体の背面に取り付けられる突起部と、壁面に取り付けられ、且つ、前記突起部に接続される治具とを備え、
前記突起部は、前記背面から突き出たシャフトと、前記シャフトの先端に取り付けられたストッパーとを備え、前記ストッパーは、前記シャフトよりも断面積が大きくなるように形成され、
前記治具は、前記突起部に接続される接続部と、前記突起部と前記接続部との接続の前に前記突起部を仮置きするための仮置き部とを備え、
前記仮置き部は、前記接続部に隣接する位置に配置され、且つ、前記突起部が仮置きされたときに、前記ストッパーと前記背面との間に嵌まり込むように形成されていることを特徴とする壁掛け装置。
【請求項２】
前記治具が板状の部分を備え、前記板状の部分には、前記接続部として機能する切り欠きが設けられ、
前記切り欠きは、前記治具が壁面に取り付けられたときにその開口が上を向き、且つ、その内部に前記シャフトを嵌め込んだときに、前記ストッパーが前記板状の部分に引っ掛かるように形成されている請求項１に記載の壁掛け装置。
【請求項３】
前記仮置き部が、鋭角をなして交わる第１の面及び第２の面を備え、
前記第１の面は、前記治具が前記壁面に取り付けられたときに前記表示装置本体に面した位置にあり、
前記第２の面は、前記治具が前記壁面に取り付けられたときに、前記第１の面と前記壁面との間に位置し、そして前記ストッパーに接触してそれを支え、
前記第１の面と前記第２の面との交わる部分は、前記ストッパーと前記背面との間に嵌まり込む請求項１に記載の壁掛け装置。
【請求項４】
前記仮置き部が、板状の突出部と、前記ストッパーを保持する保持部とを備え、
前記板状の突出部は、その端部が前記ストッパーと前記背面との間に嵌まり込むように形成され、
前記保持部は、前記ストッパーと接触する面を備えている請求項１に記載の壁掛け装置。
【請求項５】
前記板状の部分における前記切り欠きの開口が設けられている側の端部が、前記仮置き部を構成しており
前記切り欠きの開口縁から前記仮置き部を構成している前記端部の縁までの長さは、前記表示装置の表示画面の水平方向の長さの（１／１０）倍以上に設定されている請求項２に記載の壁かけ装置。
【請求項６】
表示装置本体と、それを壁掛けするための壁掛け装置とを備え、
前記壁掛け装置は、前記表示装置本体の背面に取り付けられる突起部と、壁面に取り付けられ、且つ、前記突起部に接続される治具とを備え、
前記突起部は、前記背面から突き出たシャフトと、前記シャフトの先端に取り付けられたストッパーとを備え、前記ストッパーは、前記シャフトよりも断面積が大きくなるように形成され、
前記治具は、前記突起部に接続される接続部と、前記突起部と前記接続部との接続の前に前記突起部を仮置きするための仮置き部とを備え、
前記仮置き部は、前記接続部に隣接する位置に配置され、且つ、前記突起部が仮置きされたときに、前記ストッパーと前記背面との間に嵌まり込むように形成されていることを特徴とする表示装置。
【請求項７】
前記治具が板状の部分を備え、前記板状の部分には、前記接続部として機能する切り欠きが設けられ、
前記切り欠きは、前記治具が壁面に取り付けられたときにその開口が上を向き、且つ、その内部に前記シャフトを嵌め込んだときに、前記ストッパーが前記板状の部分に引っ掛かるように形成されている請求項６に記載の表示装置。
【請求項８】
前記仮置き部が、鋭角をなして交わる第１の面及び第２の面を備え、
前記第１の面は、前記治具が前記壁面に取り付けられたときに前記壁面に対して平行となり、
前記第２の面は、前記治具が前記壁面に取り付けられたときに、前記第１の面と前記壁面との間に位置し、そして前記ストッパーに接触してそれを保持し、
前記第１の面と前記第２の面との交わる部分は、前記ストッパーと前記背面との間に嵌まり込む請求項６に記載の表示装置。
【請求項９】
前記仮置き部が、板状の突出部と、前記ストッパーを保持する保持部とを備え、
前記板状の突出部は、その端部が前記ストッパーと前記背面との間に嵌まり込むように形成され、
前記保持部は、前記ストッパーと接触する面を備えている請求項６に記載の表示装置。
【請求項１０】
前記板状の部分における前記切り欠きの開口が設けられている側の端部が、前記仮置き部を構成しており
前記切り欠きの開口縁から前記仮置き部を構成している前記端部の縁までの長さは、前記表示装置の表示画面の水平方向の長さの（１／１０）倍以上に設定されている請求項７に記載の表示装置。
【発明の詳細な説明】
【技術分野】
【０００１】
本発明は、プラズマテレビや液晶テレビといった表示装置の本体部分を壁掛けするために用いられる壁掛け装置、及びそれを備えた表示装置に関する。
【背景技術】
【０００２】
近年、テレビジョン受像機（以下「テレビ」とする。）の分野においては、ブラウン管型テレビから、プラズマテレビや液晶テレビといった薄型テレビへと、急速に世代交代が進んでいる。薄型テレビは、ブラウン管型テレビに比べて、文字通り厚みが薄く、そして軽量である。このため、薄型テレビは、従来のブラウン管型テレビと同様にテレビ台の上に据え置かれる場合もあるが、壁掛けされる場合もある（例えば、特許文献１参照。）。
【０００３】
ここで、図１５を用いて、薄型テレビを壁掛けする場合について説明する。図１５は、従来からの壁掛け装置を示す斜視図である。図１５に示すように、薄型テレビの本体部分（テレビ本体）１０１の背面１０１ｂには、２つの突起部１０６が取り付けられている。突起部１０６は、背面１０１ｂから突き出たシャフト１０７と、その先端に取り付けられ、シャフト１０７よりも大径のストッパー１０８とで構成されている。１０１ａは、テレビ本体１０１の表示画面を示している。
【０００４】
また、各突起部１０６に対応して、２つの壁掛け用の治具１０３が壁面１００に固定されている。この治具１０３と突起部１０６とで、テレビ本体１０１を壁掛けする壁掛け装置が構成されている。２つの治具１０３の壁面１００への固定は、これら治具１０３を位置決めした状態で固定プレート１０２に取り付け、この固定プレート１０２を壁面１００にネジ止め等することによって行われている。
【０００５】
更に、治具１０３それぞれは、短冊状の金属板を短辺に沿って複数回折り曲げて形成されており、中央部分が突き出た形状を備えている。また、治具１０３の中央部分には、クランク状の切り欠き１０４が形成されている。更に、この切り欠き１０４は、突起部１０６のシャフト１０７と嵌合できるように形成されている。また、治具は、切り欠き１０４の開口１０５が上を向くようにして、壁面１００に固定されている。
【０００６】
よって、各シャフト１０７が切り欠き１０４の開口１０５付近に位置するように、シャフト１０７と切り欠き１０４との位置合わせを行ない、そして、シャフト１０７を切り欠き１０４の奥へと導けば、テレビ本体１０１を壁掛けすることができる。また、図１５に示した例では切り欠き１０４の形状がクランク状であるため、例えテレビ１０１本体を上に押し上げる力が働いても、それによってテレビ本体１０１が外れる心配もない。図１５に示した例によれば、テレビ本体１０１を、簡単、且つ、強固に固定することができる。
【特許文献１】特開平１１−２０１３８６号公報（第１図）
【発明の開示】
【発明が解決しようとする課題】
【０００７】
しかしながら、突起部１０６及び治具１０３は壁掛け時において目視し難いため、図１５に示した例において、シャフト１０７と切り欠き１０４との位置合わせは、テレビ本体１０１の位置を少しずつ変えながら、手探りで行う必要がある。また、この位置合わせは、作業者がテレビ本体を支えながら行う必要があり、作業者に大きな負担を与えている。更に、この作業は、薄型テレビが大画面化するほど困難になる。このため、従来から、壁掛け作業の容易化が求められている。
【０００８】
本発明の目的は、上記問題を解消し、表示装置の本体部分を壁掛けする際の位置合わせを容易に行い得るようにする壁掛け装置、及びそれを備えた表示装置を提供することにある。
【課題を解決するための手段】
【０００９】
上記目的を達成するために本発明における壁掛け装置は、表示装置本体を壁掛けするための壁掛け装置であって、前記表示装置本体の背面に取り付けられる突起部と、壁面に取り付けられ、且つ、前記突起部に接続される治具とを備え、前記突起部は、前記背面から突き出たシャフトと、前記シャフトの先端に取り付けられたストッパーとを備え、前記ストッパーは、前記シャフトよりも断面積が大きくなるように形成され、前記治具は、前記突起部に接続される接続部と、前記突起部と前記接続部との接続の前に前記突起部を仮置きするための仮置き部とを備え、前記仮置き部は、前記接続部に隣接する位置に配置され、且つ、前記突起部が仮置きされたときに、前記ストッパーと前記背面との間に嵌まり込むように形成されていることを特徴とする。
【００１０】
また、上記目的を達成するため本発明における表示装置は、表示装置本体と、それを壁掛けするための壁掛け装置とを備え、前記壁掛け装置は、前記表示装置本体の背面に取り付けられる突起部と、壁面に取り付けられ、且つ、前記突起部に接続される治具とを備え、前記突起部は、前記背面から突き出たシャフトと、前記シャフトの先端に取り付けられたストッパーとを備え、前記ストッパーは、前記シャフトよりも断面積が大きくなるように形成され、前記治具は、前記突起部に接続される接続部と、前記突起部と前記接続部との接続の前に前記突起部を仮置きするための仮置き部とを備え、前記仮置き部は、前記接続部に隣接する位置に配置され、且つ、前記突起部が仮置きされたときに、前記ストッパーと前記背面との間に嵌まり込むように形成されていることを特徴とする。
【発明の効果】
【００１１】
以上のように、本発明によれば、表示装置の本体部分（表示装置本体）に取り付けられた突起部と治具との接続箇所に隣接した位置で、突起部を治具に一旦仮置きできる。このとき、治具の一部分は、突起部のストッパーと表示装置本体との間に嵌まり込む。よって、表示装置本体は安定した状態で保持されることから、作業者に大きな負担が強いられることはない。よって、従来に比べて、突起部と治具との位置合わせを簡単に行うことができ、表示装置本体の壁掛け作業は簡単なものとなる。
【発明を実施するための最良の形態】
【００１２】
本発明における壁掛け装置は、表示装置本体を壁掛けするための壁掛け装置であって、前記表示装置本体の背面に取り付けられる突起部と、壁面に取り付けられ、且つ、前記突起部に接続される治具とを備え、前記突起部は、前記背面から突き出たシャフトと、前記シャフトの先端に取り付けられたストッパーとを備え、前記ストッパーは、前記シャフトよりも断面積が大きくなるように形成され、前記治具は、前記突起部に接続される接続部と、前記突起部と前記接続部との接続の前に前記突起部を仮置きするための仮置き部とを備え、前記仮置き部は、前記接続部に隣接する位置に配置され、且つ、前記突起部が仮置きされたときに、前記ストッパーと前記背面との間に嵌まり込むように形成されていることを特徴とする。
【００１３】
また、本発明における表示装置は、表示装置本体と、それを壁掛けするための壁掛け装置とを備え、前記壁掛け装置は、前記表示装置本体の背面に取り付けられる突起部と、壁面に取り付けられ、且つ、前記突起部に接続される治具とを備え、前記突起部は、前記背面から突き出たシャフトと、前記シャフトの先端に取り付けられたストッパーとを備え、前記ストッパーは、前記シャフトよりも断面積が大きくなるように形成され、前記治具は、前記突起部に接続される接続部と、前記突起部と前記接続部との接続の前に前記突起部を仮置きするための仮置き部とを備え、前記仮置き部は、前記接続部に隣接する位置に配置され、且つ、前記突起部が仮置きされたときに、前記ストッパーと前記背面との間に嵌まり込むように形成されていることを特徴とする。
【００１４】
上記本発明における壁掛け装置及び表示装置においては、前記治具が板状の部分を備え、前記板状の部分には、前記接続部として機能する切り欠きが設けられ、前記切り欠きは、前記治具が壁面に取り付けられたときにその開口が上を向き、且つ、その内部に前記シャフトを嵌め込んだときに、前記ストッパーが前記板状の部分に引っ掛かるように形成されている態様とすることができる。この態様によれば、簡単な構造で、突起部と治具とを確実に接続できる。
【００１５】
上記態様においては、前記板状の部分における前記切り欠きの開口が設けられている側の端部が、前記仮置き部を構成することもできる。この場合、前記切り欠きの開口縁から前記仮置き部を構成している前記端部の縁までの長さは、前記表示装置の表示画面の水平方向の長さの（１／１０）倍以上に設定されているのが好ましい。
【００１６】
また、上記本発明における壁掛け装置及び表示装置においては、前記仮置き部が、鋭角をなして交わる第１の面及び第２の面を備え、前記第１の面は、前記治具が前記壁面に取り付けられたときに前記表示装置本体に面した位置にあり、前記第２の面は、前記治具が前記壁面に取り付けられたときに、前記第１の面と前記壁面との間に位置し、そして前記ストッパーに接触してそれを支え、前記第１の面と前記第２の面との交わる部分は、前記ストッパーと前記背面との間に嵌まり込む態様とすることができる。
【００１７】
この態様によれば、第２の面によって壁面に向かって下がる斜面が形成される。よって、表示装置本体のストッパーを仮置きすると、ストッパーは斜面に沿ってその下側に落ちようとするため、表示装置本体の斜面の反対側への脱落は抑制される。更に、仮置き後、表示装置本体の位置を水平方向に移動させた場合は、背面とストッパーとの間に仮置き部が嵌まり込むまで、ストッパーは常に斜面の下側に落ちようとする。よって、仮置き後の位置合わせの際も脱落を防止できる。なお、ストッパーはローラのように回転する態様であっても良く、この場合であっても表示装置本体の脱落は抑制される。
【００１８】
更に、上記本発明における壁掛け装置及び表示装置においては、前記仮置き部が、板状の突出部と、前記ストッパーを保持する保持部とを備え、前記板状の突出部は、その端部が前記ストッパーと前記背面との間に嵌まり込むように形成され、前記保持部は、前記ストッパーと接触する面を備えている態様とすることもできる。
【００１９】
この態様によれば、表示装置のストッパーを突起部に仮置きしたときに、突起部がストッパーと背面との間に嵌まり込む。このため、表示装置本体は、表示面に垂直な前後方向に沿った力を受けても、脱落することが無く、確実な仮置きを行った上で位置合わせを行なうことができる。
【００２０】
（実施の形態１）
以下、本発明の実施の形態１における壁掛け装置及び表示装置について、図１〜図６を参照しながら説明する。先ず、本実施の形態１における壁掛け装置の構成を図１及び図２を用いて説明する。図１は、本発明の実施の形態１における壁掛け装置及び表示装置の構成を示す斜視図である。図２は、図１に示した壁掛け装置の断面構成を示す断面図である。また、図２は、表示装置本体１０を治具１に仮置きした状態を示している。
【００２１】
図１に示すように、壁掛け装置は、表示装置本体１０を壁掛けするために用いられる。この壁掛け装置と表示装置本体１０とによって、本実施の形態１における表示装置が構成される。また、壁掛け装置は、表示装置本体１０の表示画面１０ａの反対側の面（背面）１０ｂに取り付けられる突起部１２と、突起部１２に接続される治具１とを備えている。治具１は壁面２０に取り付けられる。
【００２２】
突起部１２は、背面１０ｂから突き出たシャフト１３と、シャフト１３の先端に取り付けられたストッパー１４とを備えている。ストッパー１４は、シャフト１３よりも断面積が大きくなるように形成されている。治具１は、突起部１２に接続される接続部２と、仮置き部３ａ〜３ｃとを備えている。
【００２３】
仮置き部３ａ〜３ｃは、接続部２に隣接する位置に配置され、突起部１２と接続部２との接続の前に突起部１２を仮置きするために利用される。また、仮置き部３ａ〜３ｃは、後述するように、突起部１２が仮置きされたときに、ストッパー１４と背面１０ｂとの間に嵌まり込むように形成されている。
【００２４】
本実施の形態１において、表示装置は、プラズマテレビや液晶テレビといった薄型のテレビジョン受像機である。また、表示装置本体とは、表示装置の本体部分、即ち、表示パネルを含んだ部分を言う。なお、表示装置は、テレビ機能を備えない、モニターとしてのみ利用される表示装置であっても良い。
【００２５】
本実施の形態１では、二つの治具１が用いられ、各治具１には二つの接続部２が設けられている。これらの治具１は、図２に示すように、ビス２１によって固定プレート８に固定されている。固定プレート８は、両者の位置関係を規定している。また、これらの治具１は、固定プレート８を介して壁面２０に固定される。固定プレート８の壁面２０への取り付けは、ビス９によって行われている。
【００２６】
また、本実施の形態１では、二つの治具１それぞれの接続部２に対応して、４つの突起部１２が取り付けられている。各突起部１２において、ストッパー１４及びシャフト１３は、仮置きした後の位置決めを容易にできるようにするため、回転可能に取り付けられている。
【００２７】
具体的には、図２に示すように、シャフト１３は円筒状の部材で構成され、ストッパー１４は中央に孔が形成された円盤状の部材で構成されている。ストッパー１４及びシャフト１３の内部は、皿ビス１６によって貫かれ、ストッパー１４及びシャフト１３は皿ビス１６によって表示装置本体１０に取り付けられる。
【００２８】
皿ビス１６は、表示装置本体１０の背面１０ｂを構成する側壁１１を貫き、円柱部材１７に形成されたネジ孔１７ａの雌ネジと嵌合する。但し、雄ネジは皿ビス１６の先端部分にしか形成されていないので、ストッパー１４及びシャフト１３は、皿ビス１６を軸として回転することができる。なお、図２において、１５は、シャフト１３及びストッパー１４の位置を調整するためのカラーである。円柱部材１７は、表示装置本体１０の内部フレーム（図示せず）に固定されている。
【００２９】
本実施の形態１では、治具１は、板状の部材によって形作られており、板状の部分を有している。また、治具１は、角柱状の形状を呈し、具体的には、治具１の横断面は台形状の枠を呈している（図２参照）。また、板状の部分には切り欠き６が設けられており、この切り欠き６が接続部２として機能している。切り欠き６は、治具１が壁面２０に取り付けられたときに表示装置本体１０に面した位置にある面（第１の面）４に、その開口７が上を向くように形成されている。
【００３０】
更に、切り欠き６は、シャフト１３を嵌め込んだときに、ストッパー１４が板状の部分に引っ掛かるように、即ち、その幅が、シャフト１３の外径よりは大きいがストッパー１４の外径よりは小さくなるように形成されている。このため、各突起部１２のシャフト１３を、対応する切り欠き６に嵌め込めば、表示装置本体１０は、治具１によって壁面２０に引っ掛かった状態となる。
【００３１】
また、図１及び図２に示すように、治具１が壁面２０に取り付けられたときに第１の面４と壁面２０との間にあって上側を向いた面（第２の面）５は、壁面２０に向かって下る斜面を構成している。つまり、第１の面４と第２の面５とは、両者がなす角θが鋭角になるようにして、交わっている（図２参照）。第１の面４と第２の面５とで形成された角は、斜め上方に向かって突き出した状態となる。
【００３２】
本実施の形態１においては、この第１の面４と第２の面５とで形成された角の部分が、仮置き部３ａ〜３ｃとして機能する。この構成により、図２に示すように、突起部１２を仮置きすると、第１の面４と第２の面５との交わる部分が、ストッパー１４と背面１０ｂ（図２の例ではカラー１５）との間に嵌まり込むこととなる。同時に、ストッパー１４は、第２の面５に接触し、それによって支えられる。
【００３３】
このため、本実施の形態１では、突起部１２が仮置き部３ａ〜３ｃのいずれかに仮置きされると、突起部１２はあたかもレールに載ったのと同様の状態となる。このとき、表示装置本体１０は比較的安定した状態で保持されており、作業者に大きな負担がかかることはない。よって、接続部２を構成する切り欠き６は仮置き部３ａ〜３ｃに隣接しているため、突起部１２全てを仮置きした後は、表示装置本体１０を左右いずれかに移動させるだけで、シャフト１３が切り欠き６に嵌まり込み、壁掛けが完了する。このように、本実施の形態１によれば、表示装置本体１０の壁掛け作業を簡単に行うことができる。
【００３４】
また、本実施の形態１においては、ストッパー１４に、第２の面５と整合するテーパ面が形成された態様とすることもできる。この態様によれば、ストッパー１４と第２の面５との接触面積を拡大させることができるため、仮置き時の安定度を高めることができる。
【００３５】
また、本実施の形態１においては、壁掛け装置は、図３に示す態様とすることもできる。図３は、本発明の実施の形態１における壁掛け装置を構成する治具の他の例を示す平面図である。図３に示す例においては、上側に配置される治具１の代わりに、治具２２が固定プレート８に取り付けられている。
【００３６】
図３に示すように、治具２２においては、図１に示した治具１と異なり、治具２２が壁面２０に取り付けられたときに、両端にある仮置き部２３ａ及び２３ｂが、治具２２の端に向かうに従い、上側に向かって傾斜するように形成されている。中央にある仮置き部２３ｂは、治具１の中央の仮置き部３ｂと同様に、治具２２が壁面２０に取り付けられたときに、水平方向に沿うように形成されている。
【００３７】
従って、例えば、いずれかの突起部１２（図１参照）が仮置き部２３ａ又は２３ｃに仮置きされると、この突起部１２は重力によって仮置き部２３ａ又は２３ｃの斜面を転がり、接続部２へと落ちていくこととなる。図３に示す治具２２を用いれば、重力を利用して、シャフト１３を切り欠き６に嵌まり込ませることができるため、壁掛け作業を一層簡単なものとすることができる。
【００３８】
更に、本実施の形態１においては、突起部１２には、図４に示すストッパーを取り付けることもできる。図４は、本発明の実施の形態１における壁掛け装置を構成する突起部の他の例を示す図であり、図４（ａ）は正面図、図４（ｂ）は治具に取り付けられたときの正面図、図４（ｃ）は治具に取り付けられたときの上面図である。図４（ａ）〜図４（ｃ）において、突起部のシャフト１３及びストッパー３０以外の部分は省略している。
【００３９】
図４（ａ）〜（ｃ）に示す例では、図１及び図２に示したストッパー１４の代わりに、ストッパー３０が用いられる。ストッパー３０は、図１及び図２に示したストッパー１４と異なり、回転しないようになっている。また、ストッパー３０は、側面に突起３１を備えている。
【００４０】
突起３１は、一方向からの物体との接触に対しては弾性変形するが、逆方向からの物体との接触に対してはそれと干渉するように形成されている。よって、図４（ｂ）及び（ｃ）に示すように、シャフト１３を治具１の切り欠き６に嵌め込むときは、突起３１は第２の面５を構成する板状の部分に接触して弾性変形し、治具１の内部に入り込む。一方、その後、シャフト１３を上から引き出そうとした場合は、突起３１は、第２の面５を構成する板状の部分に干渉し、シャフト１３の引き出しを妨げる。
【００４１】
このため、図４（ａ）〜（ｃ）に示したストッパー３０を用いれば、シャフト１３の切り欠き６からの抜けを抑制できる。また、ストッパー３０の取り外しが求められる場合が生じるのを想定して、第２の面５のストッパー３０に整合する位置には、ストッパーよりも小さな切り欠き３２が設けられているのが好ましい。この場合、この切り欠き３２を介してドライバー等によって突起３１を折損することによって、ストッパー３０を取り外すことができる。
【００４２】
また、本実施の形態においては、治具１（又は２２）の位置決めを容易にするため固定プレート８を利用しているが、以下の態様とすることで、この固定プレート８の壁面への位置決めを容易なものにすることができる。この点について図５及び図６を用いて説明する。図５は、表示装置本体の背面に取り付けられるマーカを示す断面図である。図６は、図５に示したマーカが取り付けられた表示装置本体を示す斜視図である。
【００４３】
図５に示すように、マーカ４０は、表示装置本体（図１参照）の背面１０ｂを構成する側壁１１に取り付けられる。マーカ４０は、ペン４１が取り付けられる先端部４２と、先端部４２を保持する本体部４３と、側壁１１に接合される取り付け部４４とを備えている。
【００４４】
ペン４１はインクを含ませた多孔質体で形成されている。先端部４２は、マーカ４０が壁面に接触したときにペン４１が押圧によって潰れるのを防止するため、ペン４１の周囲を取り囲む円筒を備えている。本体部４３はストッパー４３ａを備えており、マーカ４０の位置を規定している。マーカ４０の取り付け位置は、図６に示すように、固定プレートのネジ９（図１参照）の位置に整合している。
【００４５】
また、マーカ４０の取り付け部４４は、弾性変形させることで側壁１１に形成された取り付け孔１１ａに挿入できるように形成されている。取り付け部４４は、表示装置本体の内部で拡がり、マーカ４０が簡単に抜けてしまわないになっている。図５の例では、取り付け部４４は、菱形状に形成されており、中央部分には菱形の孔が設けられている。このような形状とすることにより、挿入の容易さと抜けの防止とが両立される。また、必要のなくなったマーカ４０は、簡単に取り外すことができる。
【００４６】
このようにマーカ４０を図６に示すように取り付け、そして、ペン４１の先端が壁面に接触するように位置決めすると、固定プレートのネジ（図１参照）の位置が壁面にマーキングされる。その後、壁面のマーキング位置にネジ穴が形成され、固定プレートが取り付けられる。このように、図５及び図６に示すマーカ４０を用いれば、固定プレートの壁面への位置決めを容易なものとすることができる。
【００４７】
（実施の形態２）
次に、本発明の実施の形態２における壁掛け装置及び表示装置について、図７〜図１０を参照しながら説明する。図７は、本発明の実施の形態２における壁掛け装置を構成する治具を示す平面図である。図８は、図７に示した治具の一部分を拡大して示す分解斜視図である。図９は、図７に示した治具の断面構成を示す断面図である。
【００４８】
図７に示すように、本実施の形態２においては、図１に示した治具１の代わりに、治具５１ａ及び５１ｂが用いられる。実施の形態１においては二つの治具１は、互いに平行な状態で壁面２０に取り付けられているが、本実施の形態２においては、治具５１ａと治具５１ｂとは、互いに交差した状態で壁面２０に取り付けられる。なお、治具５１ａ及び治具５１ｂの接続対象となる突起部は、実施の形態１で用いられたものと同様である（図１及び図２参照）。
【００４９】
具体的には、図８に示すように、治具５１ａの中央部分には、治具５１ｂを嵌め込むための凹部５８ａが設けられている。また、治具５１ｂには、それを治具５１ａの凹部５８ａに嵌め込んだときに、両者の背面が面一になるようにするための凹部５８ｂが設けられている。よって、治具５１ａに治具５１ｂを嵌め込むと両者の位置関係は決定される。このため、本実施の形態２においては、実施の形態１のように治具間の位置関係を決めるための固定プレートは必要なく、治具５１ａと治具５１ｂとは直接壁面２０に固定される。
【００５０】
また、図９に示すように、治具５１ａ及び治具５１ｂの壁面２０への固定は、ネジ５７によって行われる。図７及び図９において、５６は、ネジ５７を取り付けるために、治具５１ａ及び治具５１ｂに設けられた貫通孔を示している。
【００５１】
なお、本実施の形態２においても、治具５１ａ及び治具５１ｂは、板状の部分を有しており、角柱状を呈している。また、接続部５２は、板状の部分の一部に切り欠き６を設けることによって形成されている。更に、図９に示すように、本実施の形態２においても、治具５１ａ及び治具５１ｂは、鋭角をなして交わる第１の面５４及び第２の面５５を有しており、第１の面５４と第２の面５５とで形成された角の部分が仮置き部５３ａ〜５３ｄを構成している。
【００５２】
このように、本実施の形態２によれば、簡単な構成で、実施の形態１と同様の効果を得ることができる。よって、本実施の形態２によれば、壁掛け装置のコストを低減することができる。なお、本実施の形態２では、実施の形態１と異なり、治具５１ａ及び治具５１ｂの中央部分には仮置き部は形成されないが、壁掛け作業において、作業者の負担を増やす等の問題を生じさせるものではない。
【００５３】
本実施の形態２においても、壁掛け対象となる表示装置としては、実施の形態１で述べた、プラズマテレビや液晶テレビといった薄型のテレビジョン受像機や、テレビ機能を備えない、モニターとしてのみ利用される表示装置等が挙げられる。また、本実施の形態２においても、表示装置本体の背面に取り付けられる突起部（図１及び図２参照）と、治具５１ａ及び治具５１ｂとで、壁掛け装置が構成される。更に、この壁掛け装置と表示装置本体とによって、本実施の形態２における表示装置が構成される。
【００５４】
また、本実施の形態２においては、図１０に示すように、治具を分割式にすることもできる。図１０は、図７に示した治具を分割式とした場合の例を示す分解図である。図１０に示す例では、治具５１ａ及び治具５１ｂは、それぞれ部品Ｐ１、部品Ｐ２及び部品Ｐ３で構成されており、三分割可能となっている。
【００５５】
具体的には、治具５１ａ及び治具５１ｂそれぞれの中央の部品Ｐ２の両端には、外側の部品Ｐ１又はＰ３に挿入される挿入部６０が形成されている。更に、外側の部品Ｐ１及びＰ３には開口５９が設けられ、中央の部品Ｐ２の挿入部６０における開口５９に対応する位置には凸部６０ａが設けられている。
【００５６】
よって、挿入部６０を外側の部品Ｐ１及びＰ３に挿入すると、凸部６０ａが対応する開口５９に嵌め込まれ、部品Ｐ２と部品Ｐ１及びＰ３とが結合される。このような分割式とした場合は、治具５１ａ及び５１ｂを表示装置のパッケージに収容するに際して、梱包を容易なものとでき、パッケージにおける無駄を削減できる。
【００５７】
また、表示装置本体を壁掛けしたときに、中央の部品Ｐ２にかかる外力は、外側の部品Ｐ１及びＰ３にかかる外力に比べて小さいため、中央の部品Ｐ２については、外側の部品Ｐ１及びＰ３よりも強度の小さい材料で形成できる。具体的には、中央の部品Ｐ２が樹脂材料で形成され、外側の部品Ｐ１及びＰ３が金属材料で形成された態様とすることができる。この態様によれば、治具５１ａ及び治具５１ｂの製造コストの削減化を図ることができる。
【００５８】
（実施の形態３）
次に、本発明の実施の形態３における壁掛け装置及び表示装置について、図１１〜図１３を参照しながら説明する。図１１は、本発明の実施の形態３における壁掛け装置を構成する治具を示す斜視図である。図１２は、図１１に示した治具の断面構成を示す断面図である。図１３は、図１１に示した治具の側面図である。
【００５９】
図１１に示すように、本実施の形態３においては、図１に示した治具１の代わりに、治具６１が用いられる。治具６１は、壁面２０に取り付けられたときに水平方向に平行となる部分６４と、垂直方向に平行となる部分６５及び６６とで構成されており、正面から見たときにＵ字の上下を逆転させた形状（或いは、二つのＴを横に並べてくっ付けた形状）を有している。
【００６０】
具体的には、部分６４は、上側に向けて突出した突出部であり、板状の部材で形成されている。以下、部分６４は、突出部６４と記載する。また、突出部６４を構成する板状の部分の２箇所には、実施の形態１と同様に切り欠き６が設けられており、この切り欠き６によって接続部６２ａが構成されている。
【００６１】
また、図１２に示すように、突出部６４の上側の端部は、ストッパー１４と背面１０ｂ（図１２の例ではカラー１５）との間に嵌まり込み、仮置き部６３ａ〜６３ｃを構成している。更に、図１１及び図１２に示すように、突出部６４の中央部分における壁面２０側には、壁面２０に向かって飛び出した部分６７が設けられている。この部分６７は、その上面６７ａがストッパー１４に接触してそれを支えるように形成されている。つまり、この部分６７は、図１に示した第２の面と同様に、ストッパー１４を保持する保持部として機能しており、仮置き部６３ｂの一部を構成している。以下、部分６７は、保持部６７と記載する。
【００６２】
このような構成により、突起部１２（図１２参照）が仮置き部６３ａ〜６３ｃのいずれかに仮置きされると、突起部１２はあたかもレールに載ったのと同様の状態となる。また、一つの突起部１２が仮置き部６３ａに仮置きされたときは、それと水平方向において隣接する他の突起部１２は、保持部６７を備えた仮置き部６３ｂに仮置きされる。よって、本実施の形態３においても、表示装置本体１０は比較的安定した状態で保持されており、作業者に大きな負担がかかることはない。
【００６３】
ところで、図１１に示すように、突出部６４には、仮置き部６３ａ〜６３ｃが設けられているが、部分６５及び６６には、仮置き部が設けられていない。よって、表示装置本体の背面において下側に設けられた突起部１２を仮置きすることが、困難な状況となっている。しかしながら、本実施の形態３においては、図１３に示すように、治具６１全体が傾斜できるようになっており、上側の突起部１２だけが仮置きできれば良い。この点について以下に説明する。
【００６４】
図１１に示すように、部分６５及び部分６６は、突出部６４から垂直方向下向きに延びるように形成され、突出部６４を支持する支持部として機能している。以下、部分６５及び部分６６は、支持部と記載する。支持部６５及び６６は、板状の部材をＵ字形に折り曲げて形成されている。また、板状の部材は、突出部６４を構成する板状の部材と一体のものである。更に、支持部６５及び支持部６６それぞれの正面には、突起部１２を嵌め込むための開口６５ａ及び６６ａと、接続部６２を構成する切り欠き６とが形成されている。
【００６５】
更に、図１１及び図１３に示すように、支持部６５及び６６は、止め具６８によって、固定プレートに固定されているが、止め具６８と支持部６５及び６６とは、軸によって接続されている。よって、図１３に示すように、壁掛けの際においては、治具６１は、上側の部分を作業者に向けて傾斜させることができる。
【００６６】
このため、本実施の形態３においては、表示装置本体に裏面に設けられた突起部１２のうち、上側の突起部１２のみを仮置きできれば良い。つまり、上側の突起部１２を仮置きした後、切り欠き６に嵌め込み、そして、治具６１を徐々に起こしていけば、自動的に下側の突起部１２は下側の接続部６２ｂに接続され、壁掛け作業が完了する。
【００６７】
また、治具６１が完全に起き上がった場合は、治具６１は、止め具６９によってその位置に固定される。具体的には、図１１の例では、止め具６９は、固定プレート８における止め具６８の上側の位置に取り付けられている。また、支持部６５及び６６それぞれの側面には、止め具６９に対応して開口（円弧状の長孔６５ｂ及び６６ｂ）が形成されている。止め具６９による治具の固定は、止め具６９と長孔６５ｂ（又は６６ｂ）が形成された部分の周囲とを、ビス７０とナット（図示せず）とで挟み込むことによって行われている。なお、本実施の形態３において、止め具６９の固定方法は特に限定されるものではなく、他の方法によって固定することもできる。
【００６８】
このように、本実施の形態３によっても、実施の形態１と同様に、作業者に大きな負担がかかることはなく、表示装置本体の壁掛け作業を簡単なものとすることができる。
【００６９】
（実施の形態４）
次に、本発明の実施の形態４における壁掛け装置及び表示装置について図１４を参照しながら説明する。図１４は、本発明の実施の形態４における壁掛け装置を構成する治具を示す斜視図である。
【００７０】
図１４に示すように、本実施の形態４においては、実施の形態１で示した治具１の代わりに、治具７１が用いられる。治具７１は、板状の部材を折り曲げて形成されている。また、板状の部材の２箇所に設けられた切り欠き６によって、表示装置本体の背面に設けられた突起部に接続される接続部が構成される。
【００７１】
また、本実施の形態４においては、板状の部材の上側の端部が仮置き部７３ａ〜７３ｃを構成している。但し、板状の部材の上側の端部における水平方向の長さが短すぎると、仮置きが困難なものとなる。このため、切り欠き６の開口縁から仮置き部７３ａ〜７３ｃを構成する上側の端部の縁までの長さ、即ち、図１４中の長さＬ１、Ｌ２、Ｌ３が、規定されている。
【００７２】
Ｌ１は、図中左側の切り欠き６の開口縁から仮置き部７３ａを構成する上側の端部の縁までの長さである。Ｌ２は、図中左側の切り欠き６の開口縁から仮置き部７３ｂを構成する上側の端部の縁（図中右側の切り欠き６の開口縁）までの長さである。Ｌ３は、図中右側の切り欠き６の開口縁から仮置き部７３ｃを構成する上側の端部の縁までの長さである。
【００７３】
具体的には、Ｌ１、Ｌ２及びＬ３は、表示装置の表示画面の水平方向の長さの（１／１０）倍以上に設定するのが良く、好ましくは、表示装置の表示画面の水平方向の長さの（１／８）倍〜（１／６）倍に設定するのが良い。
【００７４】
このように、本実施の形態４においては、仮置き部７３ａ〜７３ｃは、ストッパーと表示装置本体の背面（図１及び図２参照）との間に嵌まり込む部分のみで形成されているが、水平方向において十分な長さを備えている。このため、本実施の形態４によっても、実施の形態１と同様に、作業者に大きな負担がかかることはなく、表示装置本体の壁掛け作業を簡単なものとすることができる。
【００７５】
本発明において、表示装置本体の背面に設けられる突起部は、実施の形態１〜４に示されたものに限定されることはない。本発明においては、突起部は、ストッパーやシャフトの断面形状が円以外の形状のものであっても良い。また、ストッパーとシャフトとが一体的に形成された態様であっても良いし、表示装置本体の背面とストッパーとの間の隙間が下側にしか存在しない態様であっても良い。
【産業上の利用可能性】
【００７６】
本発明における壁掛け装置は、テレビジョン受像機といった表示装置の本体部分を壁掛けする場合に有用である。よって、本発明における壁掛け装置、及びそれを備えた表示装置は、産業上の利用可能性を有するものである。
【図面の簡単な説明】
【００７７】
【図１】図１は、本発明の実施の形態１における壁掛け装置及び表示装置の構成を示す斜視図である。
【図２】図２は、図１に示した壁掛け装置の断面構成を示す断面図である。
【図３】図３は、本発明の実施の形態１における壁掛け装置を構成する治具の他の例を示す平面図である。
【図４】図４は、本発明の実施の形態１における壁掛け装置を構成する突起部の他の例を示す図であり、図４（ａ）は正面図、図４（ｂ）は治具に取り付けられたときの正面図、図４（ｃ）は治具に取り付けられたときの上面図である。
【図５】図５は、表示装置本体の背面に取り付けられるマーカを示す断面図である。
【図６】図６は、図５に示したマーカが取り付けられた表示装置本体を示す斜視図である。
【図７】図７は、本発明の実施の形態２における壁掛け装置を構成する治具を示す平面図である。
【図８】図８は、図７に示した治具の一部分を拡大して示す分解斜視図である。
【図９】図９は、図７に示した治具の断面構成を示す断面図である。
【図１０】図１０は、図７に示した治具を分割式とした場合の例を示す分解図である。
【図１１】図１１は、本発明の実施の形態３における壁掛け装置を構成する治具を示す斜視図である。
【図１２】図１２は、図１１に示した治具の断面構成を示す断面図である。
【図１３】図１３は、図１１に示した治具の側面図である。
【図１４】図１４は、本発明の実施の形態４における壁掛け装置を構成する治具を示す斜視図である。
【図１５】図１５は、従来からの壁掛け装置を示す斜視図である。
【符号の説明】
【００７８】
１  治具
２  接続部
３ａ〜３ｃ  仮置き部
４  第１の面
５  第２の面
６  切り欠き
７  切り欠きの開口
８  固定プレート
９  ビス
１０  表示装置の本体部分（表示装置本体）
１０ａ  表示画面
１０ｂ  背面
１１  側壁
１１ａ  取り付け孔
１２  突起部
１３  シャフト
１４  ストッパー
１５  カラー
１６  皿ビス
１７  円柱部材
１７ａ  ネジ孔
２０  壁面
２１  ビス
２２  治具
２３ａ〜２３ｃ  仮置き部
３０  ストッパー
３１  突起
３２  切り欠き
４０  マーカ
４１  ペン
４２  先端部
４３  本体部
４３ａ  ストッパー
４４  取り付け部
５１ａ、５１ｂ  治具
５２  接続部
５３ａ〜５３ｄ  仮置き部
５６  貫通孔
５７  ネジ
５８ａ、５８ｂ  凹部
６０  挿入部
６０ａ  凸部
６１  治具
６２ａ、６２ｂ  接続部
６３ａ〜６３ｃ  仮置き部
６４  突出部
６５、６６  支持部
６５ｂ、６６ｂ  長孔
６５ａ、６６ａ  開口
６７  保持部
６７ａ  保持部の上面（ストッパーとの接触面）
６８、６９  止め具
７０  ビス
７１  治具
７２  接続部
７３ａ〜７３ｃ  仮置き部
【図１】
2008069937.tif 000003
【図２】
2008069937.tif 000004
【図３】
2008069937.tif 000005
【図４】
2008069937.tif 000006
【図５】
2008069937.tif 000007
【図６】
2008069937.tif 000008
【図７】
2008069937.tif 000009
【図８】
2008069937.tif 000010
【図９】
2008069937.tif 000011
【図１０】
2008069937.tif 000012
【図１１】
2008069937.tif 000013
【図１２】
2008069937.tif 000014
【図１３】
2008069937.tif 000015
【図１４】
2008069937.tif 000016
【図１５】
2008069937.tif 000017